(57)【要約】【課題】照明器具１０を収納装置に収納する際、限られた空間において多数の照明器具１０を効率的に収納することができ、省スペース化できる照明器具収納装置を提供する。【解決手段】四角状の土台１１と、土台１１の四隅にそれぞれ一端部が接合して立設された長尺状の支柱１２と、支柱１２の他端部に四角形状を形成するように架設された梁１３とを有する本体１４と、照明器具１０を収納する照明器具保持部６０を複数個有する照明器具収納板４０とを備える照明器具収納装置２０において、照明器具収納板４０は山又は谷の折れ線が現れるよう斜面を形成して折り曲げて形成され、斜面に均等な間隔で照明器具保持部６０が設けられており、隣接する前記斜面に設けられた照明器具保持部６０同士が千鳥状になるよう配置されており、折れ線が略水平になるように照明器具収納板４０が本体１４に取り付けられている。【選択図】図１
2015005416.tif 000002
【特許請求の範囲】
【請求項１】
四角状の土台と、
前記土台の四隅にそれぞれ一端部が接合して立設された長尺状の支柱と、
前記支柱の他端部に四角形状を形成するように架設された梁とを有する本体と、
照明器具を収納する照明器具保持部を複数個有する照明器具収納板とを備える照明器具収納装置において、
前記照明器具収納板は山又は谷の折れ線が現れるよう斜面を形成して折り曲げて形成され、
前記斜面に均等な間隔で照明器具保持部が設けられており、
隣接する前記斜面に設けられた前記照明器具保持部同士が千鳥状になるよう配置されており、
前記折れ線が略水平になるように前記照明器具収納板が前記本体に取り付けられていることを特徴とする照明器具収納装置。
【請求項２】
前記本体は、向かい合う二本の前記梁にレール部を備え
かつ前記照明器具収納板は車輪を備え
前記車輪は、前記梁に備えられた前記レール部と係合するように配置され
前記レール部上に前記車輪が転がることで
前記照明器具収納板をスライド可能としたことを特徴とする請求項１記載の照明器具収納装置。
【請求項３】
前記照明器具収納板が複数枚備えられていることを特徴とする請求項１または２記載の照明器具収納装置。
【請求項４】
前記土台下面にタイヤを設けた
ことを特徴とする請求項１〜３いずれか１項記載の照明器具収納装置。
【発明の詳細な説明】
【技術分野】
【０００１】
本発明は、照明器具の収納に関するものである。
【背景技術】
【０００２】
従来、図５に示すように、照明器具１０を収納する装置として、外装ボックス８０内に引き出しプレート９０を配置し、その引き出しプレート９０に照明器具１０を取り付けることによって収納することが知られている。
【先行技術文献】
【特許文献】
【０００３】
【特許文献１】特開２０００−１５７３８８号公報
【発明の概要】
【発明が解決しようとする課題】
【０００４】
しかしながら、前述したような外装ボックス８０であれば、収納することができる照明器具１０の数には限りがあり、多数の照明器具１０を収納しようとすると、多数の引き出しプレート９０を備える必要があり、その結果、外装ボックス８０の外形が大きくなってしまうという問題があった。
【０００５】
本発明は、上述の問題を解決するためのものであって、照明器具１０を収納装置に収納する際、限られた空間において多数の照明器具１０を効率的に収納することができ、省スペース化できる照明器具収納装置を提供することを目的とする。
【課題を解決するための手段】
【０００６】
本発明の照明器具収納装置は、四角状の土台と、土台の四隅にそれぞれ一端部が接合して立設された長尺状の支柱と、支柱の他端部に四角形状を形成するように架設された梁とを有する本体と、照明器具を収納する照明器具保持部を複数個有する照明器具収納板とを備える照明器具収納装置において、照明器具収納板は山又は谷の折れ線が現れるよう斜面を形成して折り曲げて形成され、斜面に均等な間隔で照明器具保持部が設けられており、隣接する前記斜面に設けられた前記照明器具保持部同士が千鳥状になるよう配置されており、折れ線が略水平になるように前記照明器具収納板が前記本体に取り付けられているものである。
【０００７】
また、本発明の照明器具収納装置においては、本体は、向かい合う二本の前記梁にレール部を備え、照明器具収納板は車輪を備えかつ、車輪は梁に備えられた前記レール部と係合するように配置され、レール部上を車輪が転がることで照明器具収納板をスライド可能であってもよい。
【０００８】
また、本発明の照明器具収納装置においては、照明器具収納板が複数枚備えられている。
【０００９】
また、本発明の照明器具収納装置においては、土台下面にタイヤを設けているものであってもよい。
【発明の効果】
【００１０】
本発明は、照明器具を収納する本体に、照明器具収納板を備え、当該照明器具収納板に複数の照明器具保持部が設けられているので、限られた空間で従来よりも多数の照明器具
を収納することが可能となる。
【図面の簡単な説明】
【００１１】
【図１】本発明に係る実施形態の照明器具収納装置の上面図
【図２】本発明に係る実施形態の照明器具収納装置の横側面図
【図３】本発明に係る実施形態の照明器具収納装置の後ろ側面図
【図４】本発明に係る実施形態の照明器具収納板の斜視図
【図５】従来の照明器具を収納する収納ケース
【発明を実施するための形態】
【００１２】
以下、実施例について図１〜図４を参照して説明を行う。ただし、以下の説明は、一実施例に係るものであって、この記載に限定されるものではない。
【００１３】
照明器具収納装置２０は、四角状の土台１１と、土台１１の四隅にそれぞれ一端部が接合して立設された長尺状の支柱１２と、支柱１２の他端部には四角状の梁１３が架設され本体１４が形成されている。
【００１４】
四角状の土台１１は、４辺をＬ字鋼で囲い、土台１１におけるＬ字鋼で囲われた領域は開口している。面を有さず開口させることで土台１１の軽量化を図ることができる。土台１１の四隅には次に述べる支柱１２が立設されている。
【００１５】
なお、土台１１はＬ字鋼で形成されたものに限られず、鉄板を四角状に切り出したものであってもよいし、四角状に切り出した鉄板の４辺を立設させて器形状にしたものであってもよい。このように、土台１１を鉄板で形成することで、Ｌ字鋼で形成するよりも強度を確保することが可能となる。
【００１６】
次に支柱１２について説明をする。支柱１２は、Ｌ字鋼を用いたものであって、土台１１の四隅にＬ字鋼の一端を溶接にて接続されている。ここでＬ字鋼は溶接にて接続されているが、溶接に限らずいかなる接続方法であってもよい。例えば、土台１１とネジによって接続されていてもよいし、その他、当業者であれば通常考え得る接続方法であればよい。
【００１７】
なお、支柱１２は、Ｌ字鋼に限られず、鉄柱であってもよい。この鉄柱の形状は円柱形状・四角柱形状・三角柱形状、その他いずれの形状であってもよい。土台１１との接続方法に関しても、上記と同様ネジ止め、その他いかなる接続方法であってもよい。
【００１８】
次に、梁１３について説明をする。梁１３は、Ｌ字鋼を四角形状に並べることで形成されており、土台１１と対向するように支柱１２に架設され、土台１１と平行になるように辺を形成している。
【００１９】
なお、梁１３はＬ字鋼に限らず鉄柱を用いて形成されていてもよい。鉄柱の形状は円柱形状、四角柱形状、三角柱形状のようにいかなる形状であってもよい。また、梁１３は４辺を形成するのみではなく、対向する２辺の中間に梁１３を１辺追加してもよい。梁１３を追加することで、照明器具収納装置２０の強度をより強固に保つことができる。
【００２０】
なお、梁１３で囲われた領域においては何も設けずに、中抜き状態すなわち開口させたものであってもよいし、この開口に板材などで天板を形成してもよい。ここで用いられる板材は、鉄板であってもよいしベニヤ板のような木材、その他、樹脂材であってもよい。この天板は強度を確保するためのものではなく、照明器具収納装置２０の内側に埃の侵入を防ぐ目的のものである。
【００２１】
次に、レール部３０について説明する。レール部３０は、少なくとも対向する２本の梁１３の土台１１側、すなわち、本体１４の内側に設けられ、平板の中央を凹ませた形状である。また、レール部３０の本数については、図１に示す通り３本設けられている。しかし、レール部３０の本数は、少なくとも２本あればよく、それより多いレール部３０を設けてもよい。レール部３０の本数が増えることにより、レール部３０に装着されている車輪５０を安定した状態で可動させることができる。その結果、車輪５０が備えられている照明器具収納板４０が安定して可動させることが可能となる。図１には、長手方向に伸びる３本の梁１３にそれぞれレール部３０が設けられている例を示している。
【００２２】
なお、図示はしていないが、土台１１の梁１３側にガイドを設けてもよい。このガイドは照明器具収納板４０のブレを防ぐために設けられる。ガイドは凸形状であり、この凸形状に対応するように照明器具収納板４０の下端には凹形状のラインが設けられている。ガイドと照明器具収納板４０の凹形状が合致することで、照明器具収納板４０のガタツキを防止でき、より安定したスライドが可能となり、照明器具収納板４０を左右に移動させた際、板のガタツキを軽減させることができる。ガタツキが軽減されることで、照明器具収納板４０の照明器具保持部６０に備えられた照明器具１０が落下することを防ぐことができる。
【００２３】
また、ここでは土台１１に設けたガイドを凸形状としたが、これに限られるものではなく、凹形状であってもよい。この場合は、照明器具収納板４０に凸形状の突起部を設けることで対応することが可能である。
【００２４】
次に、車輪５０について説明する。車輪５０は、照明器具収納板４０の梁１３に設けられているレール部３０と嵌合する位置に備えられている。車輪５０の種類に関しては、円形のものや、その他通常、当業者であれば考え得るあらゆる態様のものを用いてもよい。
【００２５】
上記したように、照明器具収納板４０が車輪５０を有し、レール部３０の上を転がることによって照明器具収納板４０をレール部３０上で自在に可動させることができる。照明器具収納板４０が可動することで、照明器具１０を照明器具収納板４０に収納した後、照明器具収納装置２０の左右どちらか一方に照明器具収納板４０を寄せることが可能となる。
【００２６】
このことにより、照明器具１０を照明器具収納板４０に収納するための作業スペースを確実に確保しつつ、照明器具収納装置２０に最多の照明器具収納板４０を装着することが可能となり、結果として、照明器具１０の収納可能個数を増加させることが可能となる。
【００２７】
次に、照明器具収納板４０について説明をする。照明器具収納板４０は、平板を山折り、谷折りそれぞれを交互に繰り返すことによって長方形の面を形成するよう成型されている。この形成された面には照明器具保持部６０が設けられている。照明器具保持部６０は、照明器具収納板４０に単に丸い貫通孔が設けられている形状である。なお、この照明器具収納板４０に設けられている穴の形状は円形に限らず四角形、三角形、楕円いずれの形状であってもよい。
【００２８】
照明器具収納板４０の設置向きに関しては、平板を山折り、谷折りした際に現れた折れ線が地面と略水平になるように照明器具収納装置２０に装着されている。
【００２９】
また、照明器具収納板４０の各斜面には、照明器具保持部６０が一列ずつ等間隔に並ぶように複数個設けられている。照明器具保持部６０は、上の面に設けられた照明器具保持部６０の間に設けられるよう照明器具収納板４０に設けられている。すなわち、千鳥状に
照明器具保持部６０が設けられている。
【００３０】
本実施例では、照明器具保持部６０を千鳥形状に並べた照明器具収納板４０について説明する。千鳥状に並べられた照明器具保持部６０は照明器具収納板４０の斜面に設けられており、そして照明器具１０を照明器具保持部６０に挿入することで、照明器具１０の電源部もしくは光源部等が、照明器具１０の自重により照明器具保持部６０に引っ掛かる構造となっている。これにより、照明器具１０が照明器具保持部６０に固定される。
【００３１】
上記の通り、照明器具１０と照明器具保持部６０は、単に引っ掛かる構造となっていることから、照明器具１０を収納時もしくは、照明器具１０を照明器具保持部６０から取り外す際、いずれの場合であっても容易に作業を行うことが可能となる。
【００３２】
また、照明器具収納板４０は照明器具収納装置２０において複数枚設けられていてもよい。こうすることにより、より多くの照明器具１０を収納することが可能となる。
【００３３】
また、照明器具収納装置２０の少なくとも四隅にはタイヤ７１が設けられている。このタイヤ７１は、照明器具収納装置２０の下面、すなわち照明器具収納装置２０と地面が接する面に設けられている。タイヤ７１を有することによって、タイヤ７１が回転し、タイヤ７１が回転することで、タイヤ７１が固定されている土台１１が進行方向に押し出されることで、照明器具収納装置２０を任意の場所に移動させるこが可能となる。
【産業上の利用可能性】
【００３４】
本発明は、照明器具を収納する際に活用することができる。
【符号の説明】
【００３５】
１０  照明器具
１１  土台
１２  支柱
１３  梁
１４  本体
２０  照明器具収納装置
３０  レール部
４０  照明器具収納板
５０  車輪
６０  照明器具保持部
７０  設置スペース
７１  タイヤ
８０  収納ケース
【図１】
2015005416.tif 000003
【図２】
2015005416.tif 000004
【図３】
2015005416.tif 000005
【図４】
2015005416.tif 000006
【図５】
2015005416.tif 000007